(57)【特許請求の範囲】
【請求項１】
加熱した金属細線を貼着ローラにより樹脂シート上に押圧して樹脂シート上に金属細線を複数本略平行に貼着させる装置において、該貼着ローラを一対とし、該一対の貼着ローラは片側のみで金属細線を押圧して貼着し、折り返して反対側の貼着ローラで金属細線を押圧し貼着するように傾動手段により支持されていることを特徴とする金属細線の貼着装置。
【請求項２】
連続した金属細線を巻装したボビンと、ボビンから供給される金属細線を一対の噛み合わせギヤ間を通過させて波形に加工する波形加工手段と、波形加工した金属細線を加熱する加熱手段とを備えた貼着ヘッドに該傾動手段を設けたことを特徴とする請求項１記載の金属細線の貼着装置。
【請求項３】
該貼着ヘッドを旋回させる角度調整手段を有することを特徴とする請求項２記載の金属細線の貼着装置。
【請求項４】
前記一対の噛み合わせギヤと貼着ローラ間に、金属細線の位置を規制する位置規制手段を設けたことを特徴とする請求項２乃至３のいずれかに記載の金属細線の貼着装置。
【請求項５】
前記ボビンと波形加工ギヤとの間に金属細線の緩みを防止させる緩み防止手段を設けたことを特徴とする請求項２乃至４のいずれかに記載の金属細線の貼着装置。
【請求項６】
前記請求項１乃至５のいずれかに記載の貼着装置を用いて樹脂シート上に金属細線を貼着させる方法において、前記一対の貼着ローラを、正逆の走行方向毎に傾動手段によって交互に樹脂シートに当接させ、金属細線を加熱して樹脂シートに押圧して接着させ、折返し時点で前記貼着ヘッドを所望のピッチづつ横行させることにより、金属細線を樹脂シートの所望する区域に貼着させるようにしたことを特徴とする金属細線の貼着方法。
【請求項７】
前記貼着ローラと樹脂シートとの当接位置が、折り返し時に前記傾動手段によって傾動する他方の貼着ローラに切替え後も同一位置となるようにしたことを特徴とする請求項６記載の金属細線の貼着方法。
【請求項８】
樹脂シートの上辺とブスバーとの間、および下辺とブスバーとの間に金属細線を貼着する前に予め粘着テープ等を貼着しておき、金属細線の貼着完了後、粘着テープを剥がして持ち上げ、ブスバーからはみ出した金属細線を切断除去するようにしたことを特徴とする請求項６乃至７のいずれかに記載の金属細線の貼着方法。
【発明の詳細な説明】
【０００１】
【発明の属する技術分野】
本発明は、金属細線を樹脂シート上に貼着する方法とその装置に関し、特に金属細線入り合わせガラスの製造工程における、金属抵抗線を合わせガラス用中間膜上に貼着する方法とその装置に関するものである。
【０００２】
【従来の技術】
従来より、車両等の窓ガラスに設けるアンテナ線、防曇用加熱線、デアイサー等に用いられる導電線としては、ガラス面に直接プリントすることも広く行われているが、細い金属線を用いる場合には、合わせガラスの中間膜等に貼着させ、２枚のガラス板間に挟む方法や装置が知られている。
【０００３】
例えば、特開平４−３６２０４２号公報には、電気加熱可能な積層ガラス板の製造のため熱可塑性支持フイルムに抵抗ワイヤを取り付け固定する装置であって、支持フイルム上を転動しかつ抵抗ワイヤを支持フイルムに埋め込む加熱押圧ローラとワイヤリールのための支持体と、ワイヤ案内装置とを具備する抵抗ワイヤの取付け固定装置において、ワイヤリールのための支持体と、加熱押圧ローラとの間に、相互に噛み合いかつ抵抗ワイヤを変形させる一対の歯車が設けられ、該一対の歯車の少なくとも一方の歯車が支持フイルム上を転動する押圧ローラによって駆動されるようになっている抵抗ワイヤの取付け固定装置が開示されている。
【０００４】
また、特開平５−２７９０８９号公報には、ワイヤ供給リールを回動自在に取着するための取り付け手段と、熱可塑性フイルムにワイヤを圧入するための加熱される押圧ローラと、供給リール及び押圧ローラの間のワイヤの案内装置、とを有する、積層ガラスの熱可塑性フイルムの表面に直線状に薄い金属ワイヤを配設するための装置において、ワイヤ供給リールに作用する調整自在な制動トルクを有する電磁ブレーキを有することを特徴とする積層ガラスの熱可塑性フイルムの表面に直線状に薄い金属ワイヤを配設するための装置が開示されている。
【０００５】
あるいはまた、特開平９−１６９０７７号公報には、熱可塑性フイルムを真空によって回転ドラムの表面上に保持し、ドラムを回転させ、加熱クリンピングツール、ワイヤ付着装置、ワイヤ供給リール、およびワイヤをワイヤ供給リールから加熱クリンピングツールの下に移動させる手段を有するワイヤ付着装置を使用して、ドラムの軸に平行に配置されたガイド上でワイヤ付着装置に直線進行運動が加わることによって、金属ワイヤがフイルム上に連続的に付着する、積層グレイジングの熱可塑性フイルムの表面上に細い金属ワイヤを付着および固定する方法において、ワイヤ付着装置を直線進行させるドライブが、ワイヤの所望の曲線形状に従って確立されたタイムトラベルプログラムに従って制御される方法が開示されている。
【０００６】
【発明が解決しようとする課題】
例えば、特開平４−３６２０４２号公報に記載のものは、固定された取付け装置の下側の可動支持体上に吸引され移動する樹脂フイルム上に、波形に加工したワイヤを押圧させ貼着させるものであり、押圧ローラによるワイヤの押圧方向は一方向に限られる。このため、通常は樹脂フイルムをループ状のエンドレスの可動支持体または回転するドラム上にセットし、樹脂フイルムを搬送させ、金属線を一定間隔づつ横に移動させて貼付させるか、あるいは、一旦フイルムの端部まで金属線を貼着後金属線をカットし、反対側の端部まで貼着ヘッドを戻し、所定のピッチ間隔を設けて貼着していく方法が考えられる。
【０００７】
前記ループ状のエンドレスの可動支持体上の樹脂フイルム上に、一方向のみ金属線を貼着しようとする場合には、エンドレスの可動支持体上の樹脂フイルムが無いドラム等の露出部分においても、金属線を貼着しなければならず非常に無駄が発生する。あるいは、樹脂フイルムの長さに合わせた可動支持体やドラムに交換したとしても、樹脂フイルムの長さが変化する度に、可動支持体やドラムを取り替えなければならない煩わしさがあり、仮に取り替えなければ前記したような無駄が発生する。
【０００８】
また、ドラム又はエンドレスの可動支持体を用いる場合、該ドラムやエンドレスの可動支持体上にセットできるフイルム枚数しか連続的に貼着できないため、樹脂フイルムの着脱交換中は貼着装置を停止させなければならないという問題点があった。
【０００９】
また、特開平５−２７９０８９号公報に記載のものは、大径の円筒ドラム上に樹脂シートを吸着させて支持させ、該ドラムを回転させてワイヤを樹脂フイルムに貼着させるものであるが、この場合のワイヤは直線状のものであり、波形のワイヤを貼着するには適していない。
【００１０】
さらにまた、特開平９−１６９０７７号公報に記載のものは、ランダム曲線形状に従って熱可塑性フイルム上に金属ワイヤを付着できる方法であるが、回転ドラム上の所定位置への熱可塑性樹脂シートの脱着が容易ではなく、位置精度を良く取り付けるのに手間がかかるため作業効率も悪く、また自動化も困難であるという問題点もあった。
【００１１】
【課題を解決するための手段】
本発明は、上記問題点の解決を図る、すなわち簡易な構成にして樹脂シート上に金属細線を連続的に貼着でき、貼着完了後貼着装置を停止させることなく連続的に次の樹脂シート上に貼着することが可能であり、金属細線の緩みもなく、複数本の金属細線同士が自動的に所定の間隔で貼着できることを目的として、
加熱した金属細線を貼着ローラにより樹脂シート上に押圧して樹脂シート上に金属細線を複数本略平行に貼着させる装置において、該貼着ローラを一対とし、該一対の貼着ローラは片側のみで金属細線を押圧して貼着し、折り返して反対側の貼着ローラで金属細線を押圧し貼着するように傾動手段により支持されていることを特徴とする金属細線の貼着装置、
あるいは、連続した金属細線を巻装したボビンと、ボビンから供給される金属細線を一対の噛み合わせギヤ間を通過させて波形に加工する波形加工手段と、波形加工した金属細線を加熱する加熱手段とを備えた貼着ヘッドに該傾動手段を設けた上述の金属細線の貼着装置、
あるいはまた、該貼着ヘッドを旋回させる角度調整手段を有することを特徴する上述の金属細線の貼着装置、
あるいはさらに、前記一対の噛み合わせギヤと貼着ローラ間に、金属細線の位置を規制する位置規制手段を設けた上述の金属細線の貼着装置、
あるいはさらに、前記ボビンと波形加工ギヤとの間に金属細線の緩みを防止させる緩み防止手段を設けた上述の金属細線の貼着装置の提供と、
前記のいずれかに記載の貼着装置を用いて樹脂シート上に金属細線を貼着させる方法において、前記一対の貼着ローラを、正逆の走行方向毎に傾動手段によって交互に樹脂シートに当接させ、金属細線を加熱して樹脂シートに押圧して接着させ、折返し時点で前記貼着ヘッドを所望のピッチづつ横行させることにより、金属細線を樹脂シートの所望する区域に貼着させるようにした金属細線の貼着方法、
あるいは、前記貼着ローラと樹脂シートとの当接位置が、折り返し時に前記傾動手段によって傾動する他方の貼着ローラに切替え後も同一位置となるようにした上述の金属細線の貼着方法、
あるいはまた、樹脂シートの上辺とブスバーとの間、および下辺とブスバーとの間に金属細線を貼着する前に予め粘着テープ等を貼着しておき、金属細線の貼着完了後、粘着テープを剥がして持ち上げ、ブスバーからはみ出した金属細線を切断除去するようにした上述の金属細線の貼着方法を提供する。
【００１２】
【発明の実施の形態】
本発明の装置１は、図１、図２に示すように、金属細線２を巻装したボビン１１と、ボビン１１から供給される金属細線２を波形に加工する波形加工手段２０と、波形加工した金属細線２を加熱する加熱手段４５と、加熱した金属細線２を樹脂シート３上に押圧接着させる一対の貼着ローラからなる貼着手段４０と、該一対の貼着ローラ４１、４１’の対向近接部の上方部を傾動軸として傾動させ、貼着方向によって貼着ローラ４１の片側のみを樹脂シートに当接させる傾動手段５０とからなある。以上の各手段を備えたヘッド６は、樹脂シート３の搬出入方向（Ｘ軸方向）に走行自在な走行手段６０と、該走行手段６０を樹脂シートの幅方向（Ｙ軸方向）に横行させる横行手段７０と、該ヘッド６の向きを走行方向と角度θだけ旋回させる角度調整手段８０と、該ヘッド６を昇降自在とする昇降手段９０により自在に動くようにされている。
【００１３】
好ましくは、前記ボビン１１と波形加工ギヤ２１との間に金属細線２の緩みを防止させる緩み防止手段１５を設け、さらに好ましくは、前記一対の波形加工ギヤ２１と貼着ローラ４１間に、波形に折曲げ加工済みの金属細線の位置を規制する一対の位置規制部材３１、３１からなる位置規制手段を設ける。
まず、前記走行手段６０は、図４に示されるように、樹脂シート３を搬出入する図示しない搬送コンベアの上部かつ両側部より立設した柱部とその上端間を連結した縦フレーム６２と横フレーム６３からなる架台６４の縦フレーム６２上に搬送方向に設けた図示しない一対のレールと、そのレール上を搬送コンベアを横切る方向に設けた走行フレーム６１とからなり、図示しないモーター等によって前進後退の両方向に走行自在である。
続いて、前記横行手段７０としては、図１、図４に示されるように、前記走行手段６０の走行フレーム６１の側面に複数台取り付けられており、それぞれの横行手段７０は、該走行フレーム６１の幅方向に取付板７７を介して横行レール７２、７２とラックギア７４が取り付けられている。該ラックギア７４に噛み合うようにピニオンギヤ７５が設けられ、ピニオンギヤ７５は横行モーター７１の回転軸に連結されている。
【００１４】
一方、横行レール７２、７２に噛み合っている横行ガイド７３、７３に横行プレート７６を固定し、横行プレート７６を横行自在とさせ、該横行プレート７６の端部に、前記横行モーター７１自体を取付ブラケットを介して固定した。
【００１５】
これにより、横行プレート７６は横行モーター７１の回転によってピニオンギヤ７５がラックギヤ７４と噛み合っているので、横行モーター７１は幅方向に移動し、横行モーター７１が固定されている横行プレートも、横行レール７２、７２に摺動自在に噛み合っている横行ガイド７３、７３によって、幅方向に滑らかに横行自在である。
【００１６】
また、前記昇降手段９０は、前記横行手段７０の横行プレート７６の側面に取り付けられている。横行プレート７６の側面に垂直方向に昇降レール９１が取り付けられ、該昇降レール９１に摺動自在な昇降ガイド９４を噛み合わせた。
【００１７】
また、横行プレート７６の上端に取り付けたブラケットを介して昇降シリンダを９２を取付固定した。該昇降シリンダ９２のロッド９３の先端を前記昇降ガイド９４に固定し、昇降シリンダ９２の作動により昇降ガイド９４が昇降自在となる。
【００１８】
さらに、前記角度調整手段８０は、前記昇降手段９０の昇降ガイド９４に取付部材８２を介して角度調整モーター８１を取り付け、該モーター８１の回転軸に固定した部材５６を介してヘッド６を取り付け、該角度調整モーター８１によりヘッド６の向きを走行方向より所望の角度θだけ正逆方向に旋回させることができる。
【００１９】
前記ヘッド６は、傾動手段５０、金属細線供給手段１０、波形加工手段２０、貼着手段４０、加熱手段４５等の各手段からなる。
【００２０】
前記傾動手段５０は、前記角度調整手段８０の図示しない軸部に部材５６と取付部材５７を取り付け、該取付部材５７を介して傾動シリンダ５１を取り付け、該傾動シリンダ５１のシリンダロッド５２の先端にアーム５４を軸着し、該アーム５４の先端に傾動部材５５を取り付けた。
【００２１】
該傾動部材５５は部材５６に固定された傾動軸５３を軸として、傾動部材５５を振り子状に傾動することができ、樹脂シート３上に金属細線２を貼着させる時に、傾動部材５５に連結された一対の貼着ローラ４１、４１’の片側のみを樹脂シート３に当接させ、他方側を樹脂シート３から離れるように傾動させる。
【００２２】
また、前記金属細線供給手段１０は、前記傾動部材５５に取り付けられた保持部材１２に取り付けられ、該保持部材１２の先端寄りに連続した金属細線２を巻装した該ボビン１１を回転自在に支持する保持部材１２と、ボビン１１から繰り出された金属細線２が緩まないようにテンションを与えるダンサーアーム１６からなる緩み防止手段１５を備えている。
【００２３】
該緩み防止手段１５は、ダンサーアーム１６が板バネの復元力を利用したもので、金属細線２が供給される途中部分に回転自在な案内ロール１３、１３を設け、ダンサーアーム１６の先端のテンション付与部材１７を該案内ロール１３、１３間の金属細線２に当接させて、金属細線２に張力を与えて緩まないようにさせたものである。
【００２４】
ボビン１１より引き出された金属細線２は、案内ロール１３、１３を経由して波形加工手段２０の一対の波形加工ギヤ２１、２１間へと供給させる。
【００２５】
さらに、前記波形加工手段２０は、一対の歯車２１、２１を噛み合わせ、ボビン１１から供給される金属細線２を該歯車２１、２１の噛み合わせ間に挿入し、金属細線２を歯車２１、２１の歯の形状である波形に加工する。該一対の歯車２１、２１の駆動は、貼着ローラ４１が樹脂シート３上で転動する時に、貼着ローラ４１の回転に同期して回転する伝達ギア２２を介して回転するようにすればよい。
【００２６】
さらにまた、前記貼着手段４０は、前進用と後退用の一対の貼着ローラ４１、４１’からなり、波形加工手段２０によって波形に加工された金属細線２を回転軸４２，４２’を軸として回転する該貼着ローラ４１により樹脂シート３上に押圧させ接着させるものである。
【００２７】
前記加熱手段４５は、前記貼着手段４０の一対の貼着ローラ４１、４１’の各軸部分に電気加熱ヒーター４６、４６が設けられており、前記貼着ローラ４１、４１’の片方の貼着ローラ４１の外周に金属細線２を当接させて加熱し、樹脂シート３に金属細線２を押圧して接着させるものである。
【００２８】
前記位置規制手段は、図６に示されるように、前記一対の波形加工ギヤ２１、２１と貼着ローラ４１、４１’間に設けられ、一対の波形加工ギヤ２１、２１間より繰り出された波形に折曲げ加工済みの金属細線２が緩んで位置ズレを起こさないようにするものであり、開閉自在な一対のスリット状の位置規制部材３１、３１間の隙間を通過させることによって波形に折り曲げ加工済みの金属細線２が弛まないように位置を規制する。
【００２９】
特に、樹脂シート３上を貼着ローラ４１、４１’を前進させて金属細線２を貼着し、折り返し点で一対の貼着ローラ４１、４１’の一方側より他方側に切り替える時に、金属細線の弛みが発生し易くなるのを防ぐことができる。
【００３０】
また、図７に示されるように、前記ボビン１１と貼着ローラ４１、４１’との間を絶縁し、例えば、前記貼着ローラ４１、４１’を支持している部材４４と傾動部材５５間に絶縁層４５を設けて、前記ボビン１１と貼着ローラ４１、４１’とを電極として電圧をかけ、ボビン１１と貼着ローラ４１、４１’間の金属細線２に通電させ、通電の有無によりボビン１１から供給される金属細線２の断線の有無を検出する断線検出手段を設けた。
【００３１】
次に、本装置の使用方法、及び作用について説明する。
【００３２】
図５で示すような略台形形状または扇形形状の上辺７と下辺８に沿って、薄い金属製のシートをブスバー４、４’として貼着済みの樹脂シート３を、図４に示すようなテーブル９上の所定位置に搬入停止させた。
図４に示すように、縦フレーム６２、６２上のレール上を走行フレーム６１は走行自在であり、該走行フレーム６１上に複数台の貼着ヘッド６、６、・・が一列に等間隔に並設され、横行自在である。
【００３３】
今、走行フレーム６１は、前記樹脂シート３の略台形形状または扇形形状の上辺７寄りにあって、貼着ヘッド６、６、・・は上辺７とブスバー４間に位置している。
【００３４】
該位置より貼着をスタートし、上辺７と下辺８間、つまりブスバー４とブスバー４’間を貼着ヘッド６、６、・・を往復動しながら金属細線２、２、・・を樹脂シート３に加熱しながら貼着ローラ４１で貼着させ、ブスバー４、４’を通過した位置で折り返し、折り返し点毎に数ミリピッチづつ貼着ヘッド６、６、・・を横行移動させ、金属細線２、２、・・を樹脂シート３上の所定の範囲内全域に貼着させる。
【００３５】
横行手段７０は、走行フレーム６１の側面に取付板７７を介して取り付けたラックギヤ７４に、横行モーター７１の回転軸に取り付けたピニオンギヤ７５が噛み合うため、横行モーター７１の回転運動がラックギヤ７４により直線運動に変換される。
【００３６】
横行手段７０の複数の横行プレート７６、７６、・・は前記取付板７７に固定した横行レール７２と横行プレート７６、７６、・・に固定した横行ガイド７３、７３、・・との摺動により横行レール７２上を幅方向に摺動自在であり、横行モーター７１、７１、・・の作動により横行停止自在である。
【００３７】
各横行手段７０の横行ピッチは、樹脂シート３の上辺７と下辺８の長さが異なるので、上辺７から下辺８に向かうときは上辺７と下辺８の長さの比に応じて、楔形状に僅かづつ金属細線２の間隔が広くなるように幅方向も制御される。
【００３８】
このため、走行手段６０の走行方向に対する金属細線２の貼着方向が角度θだけ異なる方向の場合には、角度調整手段８０の角度調整モーター８１を角度θだけ回転させて、貼着ヘッド６の向きを金属細線２の貼着方向に一致させ、走行と共に横行により二次元的に移動させればよい。
【００３９】
前記貼着ローラ４１、４１’を前進、または後退させる場合には、該傾動手段５０は傾動シリンダ５１の作動によりシリンダロッド５２を伸縮させて、シリンダロッド５２の先端に軸着のアーム５４を傾動軸５３を軸として昇降させ、該アーム５４に係止した傾動部材５５が前記傾動軸５３を軸として傾動し、貼着ローラ４１を傾動させることができる。
【００４０】
このようにして、樹脂シート３の上辺７から下辺８に向かって貼着ローラ４１を走行させる場合は、図３（ロ）のように一対の貼着ローラ４１、４１’を傾動手段５０によって傾動させて、走行方向側の貼着ローラ４１’を樹脂シート３から離し、走行する後方方向の貼着ローラ４１を樹脂シート３に押しつけながら、金属細線２を樹脂シートに貼着させる。
【００４１】
同様に、樹脂シート３の下辺８から上辺７に向かって貼着ローラ４１’を走行させる場合は、図３（イ）のように一対の貼着ローラ４１、４１’を傾動手段５０によって反対側に傾動させて、走行方向側の貼着ローラ４１を樹脂シート３から離し、走行する後方方向の貼着ローラ４１’を樹脂シート３に押しつけながら、金属細線２を樹脂シート３に貼着させる。
【００４２】
さらに、前記貼着ヘッド６により、樹脂シート３上に金属細線２、２、・・を貼着させる場合に、前記貼着ローラ４１（４１’）を樹脂シート３に押圧すると同時に電気加熱等による加熱手段により金属細線２を加熱させて樹脂シートに接着させ、折返し時点で前記貼着ヘッド６を所望のピッチづつ横行させることにより、金属細線２を樹脂シート３の所望する全区域に貼着させることができる。
【００４３】
また、前記貼着ローラ４１は、折り返し時点において、昇降手段９０の昇降シリンダ９２の作動により上昇させる。同時に傾動手段５０を作動させて貼着ローラ４１を樹脂シートから離れる方向に移動させると共に、貼着ローラ４１’を樹脂シート３に接近させる。続いて、昇降手段９０の昇降シリンダ９２を下降させて、貼着ローラ４１’と樹脂シート３との当接位置が、前記傾動手段によって切替える前の貼着ローラ４１の当接位置４７と切り替えた後の貼着ローラ４１’の当接位置４７’とが同一位置となるように傾動手段５０の傾動角度は設定されている。（図３参照）
また、金属細線２を巻装した各ボビン１１は、保持部材１２に着脱自在に取り付けられ、各ボビン１１より引き出された金属細線２は案内ロール１３、１３を通って一対の波形加工ギヤ２１、２１間を通過させ、波形加工ギヤ２１、２１の歯車の形状に合わせて折り曲げる。
【００４４】
波形加工ギア２１、２１を通過した金属細線２は一対の位置規制部材３１、３１によるスリット状の隙間を通過させて、いずれか片方の貼着ローラ４１（４１’）の外周に当接させながら貼着ローラ４１（４１’）の内部に設けた加熱ヒーター４６（４６’）によって加熱され、ポリビニールブチラール（ＰＶＢ）等の樹脂シート３上に貼着する。
【００４５】
ここで、波形加工ギヤ２１、２１によって波形に折り曲げ加工された金属細線２は、位置規制手段を通過時点において、貼着ローラ４１（４１’）の進行方向に直交する方向に波形に折り曲げ加工されているが、貼着ローラ４１（４１’）の外周に当接しはじめた時点で金属細線２が貼着ローラ４１（４１’）に密着するように、貼着ローラ４１（４１’）の回転により僅かに張力が付与され、自然に波形形状の方向が９０度変化する。
【００４６】
前記貼着ローラ４１（４１’）が樹脂シート３上を転動することにより、貼着ローラ４１（４１’）の回転力を伝達ギヤ２２を介して波形加工ギヤに伝え、波形加工ギヤの回転速度よりも貼着ローラ４１（４１’）の回転速度の方がやや早く設定し、金属細線２の緩みを防止するようにしている。
【００４７】
また、前記案内ロール１３、１３間にはダンサーアーム１６の先端に設けたテンション付与部材１７の先端を押しつけて、金属細線２の緩みを防止させた。
【００４８】
また、前記樹脂シート３と該樹脂シート３を載置するテーブル９間に図示しない弾性シートを設ければ、貼着ローラ４１（４１’）により金属細線２を樹脂シート３へ押圧させた時に、該弾性シートの圧縮変形によって樹脂シート３と金属細線との貼着を確実にせしめることができる。
【００４９】
また、前記ボビン１１と貼着ローラ４１、４１’との間を絶縁し、前記ボビン１１と貼着ローラ４１、４１’とを電極として電圧をかけ、ボビン１１と貼着ローラ４１、４１’間の金属細線２に通電させ、通電の有無によりボビン１１から供給される金属細線２の断線の有無を検出するようにした断線検出手段を設けたので、金属細線が断線しても、即座に警報等を出力でき、自動化した場合、対応がスムーズとなりトラブルによるロスタイムを最小限とすることができる。
【００５０】
尚、図５に示すように、樹脂シート３の上辺７とブスバー４との間、および下辺８とブスバー４’との間に金属細線２を貼着する前に予め粘着テープ５、５’等を貼着しておけば、金属細線２の貼着完了後、次工程でブスバー４、４’からはみ出した美観上好ましくない金属細線２を切断し、取り除くときに、作業が容易となる。
【００５１】
本発明は、金属細線入り合わせガラスを製造する工程において、金属細線を巻装したボビンから供給される金属細線を一対の噛み合わせギヤ間を通過させて波形に加工後、フラットなテーブル９上に搬入され静止状態の樹脂シート上の搬入方向の前端から後端間を往復動する２個の貼着ローラの片側で加熱押圧して樹脂シートに埋め込んで貼着させ、樹脂シートの端部での折り返し毎に所定のピッチ分だけ幅方向に移動させて金属細線を樹脂シートの所望の位置に貼着させる方法とその装置として好適である。
【００５２】
このようにして、波形形状の金属細線を貼着したポリビニールブチラール膜（ＰＶＢ膜）は、２枚のガラス板に挟まれ、合わせガラスとして整形すれば、金属抵抗線入り合わせガラス等の防曇ガラス、ワイパー部の融氷ガラス、アンテナ線入り合わせ窓ガラスとして、使用される。
【００５３】
以上、好適な実施例について述べたが、本発明はこれに限定されるものではなく種々の応用が考えられる。
【００５４】
本発明で使用した各種シリンダーに代えてモーターとしても良い。
【００５５】
また、本発明で使用したヘッドをＸ軸、Ｙ軸、Ｚ軸、及び各軸においてθ軸を有する多関節ロボットのハンドに取り付けて移動させ、樹脂シートの自動搬出入も併せて一連の作業を行うようにすれば、自動化装置として省力化も可能である。
【００５６】
【発明の効果】
金属細線を樹脂シート上へ貼着させる貼着ローラを往復動別々に設けたので、樹脂シート面内で金属細線を往復貼着が自動的に連続的にできる。
【００５７】
また、樹脂シート上への金属細線の貼着の折り返し点で、一対の貼着ローラの樹脂シートに押圧させている一方側の貼着ローラから他方側の貼着ローラへの切替、選択を傾動手段による傾動シリンダによって、瞬時に切り替えができる。
【００５８】
さらに、ボビンと貼着ローラ間を絶縁状態にして電圧をかけ、ボビンから貼着ローラ間に供給される金属細線の導通チェックを行うことで金属細線の断線検出ができるので、断線等が発生したときに警報等を出力でき、迅速に対応ができる。
【図面の簡単な説明】
【図１】本発明の貼着装置の側面図。
【図２】本発明の貼着装置の正面図。
【図３】（イ）、（ロ）は、本発明の貼着装置によって樹脂シート上へ金属細線を往復走行させて貼着させる状況を説明する側面図。
【図４】本発明の貼着装置の平面図。
【図５】本発明の貼着装置によって金属細線を貼着した樹脂シートの平面図。
【図６】本発明の貼着装置の位置規制手段を説明する概念図。
【図７】本発明の貼着装置の断線検出手段を説明する概念図。
【符号の説明】
１          貼着装置
２          金属細線
３          樹脂シート
４、４’    ブスバー
５、５’    テープ
６          貼着ヘッド
９          テーブル
１０          金属細線供給手段
１１          ボビン
１２          保持部材
１３          案内ロール
１５          緩み防止手段
１６          ダンサーアーム
１７          テンション付与部材
２０          波形加工手段
２１          波形加工ギヤ
２２          伝達ギヤ
３１          位置規制部材
４０          貼着手段
４１、４１’  貼着ローラ
４２、４２’  回転軸
４５          加熱手段
４６          ヒーター
５０          傾動手段
５１          傾動シリンダ
５２          シリンダロッド
５３          傾動軸
５４          アーム
５５          傾動部材
６０          走行手段
６１          走行フレーム
７０          横行手段
７１          横行モーター
７２          横行レール
７３          横行ガイド
７４          ラックギア
７５          ピニオンギア
７６          横行プレート
８０          角度調整手段
８１          角度調整モーター
８２          取付部材
９０          昇降手段
９１          昇降レール
９２          昇降シリンダ
９３          ロッド
９４          昇降ガイド
【図１】
0003734385.tif 000002
【図２】
0003734385.tif 000003
【図３】
0003734385.tif 000004
【図４】
0003734385.tif 000005
【図５】
0003734385.tif 000006
【図６】
0003734385.tif 000007
【図７】
0003734385.tif 000008